(57)【要約】【課題】主に、連結部材本体に対する水栓接続継手の取付けに汎用性を持たせると共に、水栓接続継手の供回りを確実に防止し得るようにする。【解決手段】ユニットバス２を構成する側壁パネル４の室外側に配設されて、側壁パネル４の室内側に設置される風呂水栓７を接続するようにした水栓接続継手８を、複数連結可能な連結部材本体２１を有する継手連結部材１１に関する。  連結部材本体２１が、複数の水栓接続継手８を挿通した状態で互いに近接離反動自在に保持する継手挿通配置用スライド穴２２と、継手挿通配置用スライド穴２２に挿通保持された各水栓接続継手８を、継手挿通配置用スライド穴２２に沿った任意の位置で固定可能な継手固定用長穴２４と、を有する。  継手固定用長穴２４が、継手挿通配置用スライド穴２２を挟んで複数対設けられる。【選択図】図３
2016169518.tif 000002
【特許請求の範囲】
【請求項１】
ユニットバスを構成する側壁パネルの室外側に配設されて、側壁パネルの室内側に設置される風呂水栓を接続するようにした水栓接続継手を、複数連結可能な連結部材本体を有する継手連結部材において、
上記連結部材本体が、
複数の水栓接続継手を挿通した状態で互いに近接離反動自在に保持する継手挿通配置用スライド穴と、
この継手挿通配置用スライド穴に挿通保持された各水栓接続継手を、継手挿通配置用スライド穴に沿った任意の位置で固定可能な継手固定用長穴と、を有し、
この継手固定用長穴が、上記継手挿通配置用スライド穴を挟んで複数対設けられたことを特徴とする継手連結部材。
【請求項２】
請求項１に記載の継手連結部材であって、
上記連結部材本体が、その縁部と上記継手挿通配置用スライド穴との間に、上記水栓接続継手を縁部の位置から継手挿通配置用スライド穴内へ導入可能な導入用切欠部を有することを特徴とする継手連結部材。
【請求項３】
ユニットバスを構成する側壁パネルの室外側に配設されて、側壁パネルの室内側に設置される風呂水栓を接続するようにした継手本体を有する水栓接続継手において、
上記継手本体が、背面側に直交する２つの取付座面を有することを特徴とする水栓接続継手。
【請求項４】
請求項３記載の水栓接続継手を、複数連結可能な連結部材本体を有する継手連結部材であって、
上記連結部材本体が、水栓接続継手の直交する２つの取付座面をそれぞれ当接可能な直交する２つの取付面を有するＬ字断面のアングル材とされ、
このＬ字断面のアングル材が、各取付面に、水栓接続継手の取付座面をアングル材に沿った任意の位置で固定可能な継手固定用長穴を有することを特徴とする継手連結部材。
【発明の詳細な説明】
【技術分野】
【０００１】
この発明は、継手連結部材および水栓接続継手に関するものである。
【背景技術】
【０００２】
近年、浴室設備をユニットバスによって構成することが広く普及している。そして、このようなユニットバスは、工場で予め作られた床パネルや側壁パネルや天井パネルや浴槽などを、建物１の新築時に現場へ運んで現場で組み立てることにより、短期間で建物の内部に浴室設備を構築できるようにしたものである。組み立ての際に、各パネルの接合部は止水のためにシーリングされ、入居前に止水性を確認した上で入居者に引き渡される。このユニットバスには、側壁パネルの室内側に、給水や給湯を行うための風呂水栓が設置されている。この風呂水栓は、側壁パネルの室外側に配設された水栓接続継手に対して接続固定される。この水栓接続継手は、給水用や給湯用などに複数設置される。
【０００３】
そして、このようなユニットバスをリフォームする場合に、風呂水栓の位置を変更したり、風呂水栓を新しい物に交換したりすることが行われている。そして、風呂水栓を改修する場合には、既に止水性が確認された既存のユニットバスを傷付けることなく、しかも、容易かつ迅速に交換作業を行えるようにすることが求められる。
【０００４】
そこで、例えば、特許文献１のように、複数の水栓接続継手を継手連結部材で連結することで、複数の水栓接続継手を１つにまとめて側壁パネルの室外側への引込作業を一度に行えるようにし、以って、風呂水栓の更新作業を容易且つ迅速に行えるようにしたものが提案されている。
【先行技術文献】
【特許文献】
【０００５】
【特許文献１】特開２００６−２６５８３２号公報
【発明の概要】
【発明が解決しようとする課題】
【０００６】
しかしながら、上記特許文献１に記載された継手連結部材は、複数の水栓接続継手間の取付間隔を調整することができなかったので、取付間隔の異なる各種の風呂水栓に対して共用することができず、汎用性がなかった。しかも、上記した継手連結部材は、水栓接続継手に対する回り止め機能を有していなかったので、水栓接続継手に風呂水栓を接続する際の水栓接続継手の供回りによる締込み不足を解消することができず、風呂水栓の取付けに手間が掛かっていた。なお、上記した締込み不足が生じると、水漏れを引起こす原因となるので、締込み不足が生じ易い構造は厳に避けなければならないものである。
【０００７】
そこで、本発明は、上記した問題点を解決することを、主な目的としている。
【課題を解決するための手段】
【０００８】
上記課題を解決するために、本発明は、
ユニットバスを構成する側壁パネルの室外側に配設されて、側壁パネルの室内側に設置される風呂水栓を接続するようにした水栓接続継手を、複数連結可能な連結部材本体を有する継手連結部材において、
前記連結部材本体が、
複数の水栓接続継手を挿通した状態で互いに近接離反動自在に保持する継手挿通配置用スライド穴と、
該継手挿通配置用スライド穴に挿通保持された各水栓接続継手を、継手挿通配置用スライド穴に沿った任意の位置で固定可能な継手固定用長穴と、を有し、
該継手固定用長穴が、前記継手挿通配置用スライド穴を挟んで複数対設けられたことを特徴としている。
【発明の効果】
【０００９】
本発明によれば、上記構成によって、連結部材本体に対する水栓接続継手の取付けに汎用性を持たせると共に、水栓接続継手の供回りを確実に防止して、水栓接続継手に対する風呂水栓の締込み不足を解消し、取付けの手間を削減すると共に、水漏れを防止することができる。
【図面の簡単な説明】
【００１０】
【図１】本実施の形態にかかる風呂水栓を改修する状態を示す建物およびユニットバスの側断面図である。
【図２】実施例１にかかる水栓接続継手および継手連結部材の側面図である。
【図３】図２の正面図である。
【図４】図２の継手連結部材の正面図である。
【図５】実施例２にかかる水栓接続継手および継手連結部材の側面図である。
【図６】図５を正面側から見た斜視図である。
【図７】図５を斜め横方向から見た斜視図である。
【発明を実施するための形態】
【００１１】
以下、本実施の形態を、図面を用いて詳細に説明する。
図１〜図７は、この実施の形態を説明するためのものである。
【実施例１】
【００１２】
図１〜図４は、この実施例を示す図である。
【００１３】
＜構成＞以下、構成について説明する。
図１に示すように、建物１の浴室設備をユニットバス２によって構成する。このユニットバス２は、工場で予め作られた床パネル３や側壁パネル４や天井パネル５や浴槽などを、建物１の新築時に現場へ運んで現場で組み立てることにより、短期間で建物１の内部に浴室設備を構築できるようにしたものである。組み立ての際に、上記した各パネル（床パネル３、側壁パネル４、天井パネル５）の接合部は止水のためにシーリングされ、入居前に止水性を確認した上で入居者に引き渡される。このユニットバス２には、側壁パネル４の室内側に、給水や給湯を行うための風呂水栓７が設置される。この風呂水栓７は、側壁パネル４の室外側に配設された水栓接続継手８（図２参照）に対して接続固定される。この水栓接続継手８は、給水用や給湯用などに複数設置される。
【００１４】
そして、このようなユニットバス２をリフォームする場合に、風呂水栓７の位置を変更したり、風呂水栓７を新しい物に交換したりする。そして、風呂水栓７を改修する場合には、既に止水性が確認された既存のユニットバス２を傷付けることなく、しかも、容易かつ迅速に交換作業を行えるようにすることが求められる。
【００１５】
そこで、図２〜図４に示すように、複数の水栓接続継手８を継手連結部材１１で連結することで、複数の水栓接続継手８を１つにまとめて側壁パネル４の室外側への引込作業を一度に行えるようにし、以って、風呂水栓７の更新作業を容易且つ迅速に行えるようにする。
【００１６】
この際、継手連結部材１１は、複数の水栓接続継手８を横に並べた長さよりも横に長いものとされる。この継手連結部材１１で連結された複数の水栓接続継手８には、給水管や給湯管などの配管１２がそれぞれ接続された状態で、ユニットバス２の天井パネル５に形成された点検口１３から天井パネル５の上と建物１の天井壁１４との間の隙間１５を通して側壁パネル４の裏側と建物１の側壁１６などとの間の隙間１７への引込作業を行うようにする。そして、水栓接続継手８の風呂水栓７を接続する側の端部に予めチェーンなどを取付けておき、このチェーンを側壁パネル４に形成した取付穴１８から取出すことにより、取付穴１８に水栓接続継手８の風呂水栓７を接続する側の端部を挿通させた状態にし、この状態で水栓接続継手８に対してユニットバス２の内側から風呂水栓７を接続させるようにする。
【００１７】
そして、以上のような基本的または全体的な構成に対し、この実施例は、以下のような構成を備えている。
（１−１）継手連結部材１１は、連結部材本体２１が、
複数の水栓接続継手８を挿通した状態で互いに近接離反動自在に保持する継手挿通配置用スライド穴２２と、
この継手挿通配置用スライド穴２２に挿通保持された各水栓接続継手８を、継手挿通配置用スライド穴２２に沿った任意の位置で固定可能な継手固定用長穴２４と、を有するものとされる。
この継手固定用長穴２４が、上記継手挿通配置用スライド穴２２を挟んで複数対設けられる。
【００１８】
ここで、水栓接続継手８は、Ｌ字型をした筒状の継手本体３１を備えると共に、この継手本体３１の上下方向へ向けられる一端側（この場合には上端側とされる）に、配管１２に対する接続口部３２を有し、横方向へ向けられる他端側（この場合には下端側となる）に、風呂水栓７に対する接続口部３３を有するものとされる。この場合、風呂水栓７に対する接続口部３３には、フランジ部３４が一体に形成されると共に、フランジ部３４よりも先端側の外周面に風呂水栓７を接続するためのネジ部３５が形成されている。また、フランジ部３４には、頂部の位置を０°とした場合に、斜め４５°の位置から周方向に９０°の間隔を有して４箇所のネジ穴３６が形成されており、これらのネジ穴３６によって継手固定用長穴２４にネジ止めができるようになっている。
【００１９】
また、連結部材本体２１は、短冊状をした金属製や樹脂製の板材を横長に配置して使用するものとされている。この場合、連結部材本体２１は、横方向へ延びる１本の継手挿通配置用スライド穴２２と、この１本の継手挿通配置用スライド穴２２の上下に沿って対を成すように形成された継手固定用長穴２４とを有するものとされる。更に、この上下の継手固定用長穴２４が、連結部材本体２１の両側部に二対設けられることによって、２個の水栓接続継手８を取付可能としている。継手挿通配置用スライド穴２２は、継手本体３１のフランジ部３４よりも室外側の細くなっている部分が丁度通る幅に形成されている。
【００２０】
また、各継手固定用長穴２４は、フランジ部３４の同じ高さに形成された２個のネジ穴３６が同時に合致する長さ、またはそれ以上の長さを有するものとされる。この場合、少なくとも、１つの継手固定用長穴２４は、各種の風呂水栓７に対応するために必要な横スライド量を有するものとされる。
【００２１】
なお、継手連結部材１１は、水栓接続継手８を３個以上取付けることができるようにすることができる。この場合には、継手連結部材１１に対して、継手固定用長穴２４を延長するか、或いは、継手固定用長穴２４を三対以上設けるようにすれば良い。
【００２２】
（１−２）上記連結部材本体２１が、その縁部４１と上記継手挿通配置用スライド穴２２との間に、上記水栓接続継手８を縁部４１の位置から継手挿通配置用スライド穴２２内へ導入可能な導入用切欠部４２を有するものとされる。
【００２３】
ここで、導入用切欠部４２は、連結部材本体２１の下縁部における、左右の継手固定用長穴２４間の中間部の位置に設けるようにしている。
【００２４】
＜作用効果＞この実施例によれば、以下のような作用効果を得ることができる。
（１−１）複数の水栓接続継手８を連結部材本体２１で連結することにより、複数の水栓接続継手８を１つにまとめて一度に取扱える（側壁パネル４の裏側と建物１の側壁１６などとの間の隙間１７への引込作業用を行える）ようになる。その分、風呂水栓７の更新作業を容易且つ迅速に行うことが可能となる。
【００２５】
この際、連結部材本体２１に、継手挿通配置用スライド穴２２と複数対の継手固定用長穴２４とを設けた。これにより、様々な風呂水栓７に合わせて取付間隔を調整した状態で複数の水栓接続継手８を連結部材本体２１に予め固定することができるようになる。この連結部材本体２１と一般的な水栓接続継手８との組み合わせで、各種の風呂水栓７に対応することができるようになり、水栓接続継手８や継手連結部材１１の汎用化を図ることが可能になる。
【００２６】
また、連結部材本体２１の各継手固定用長穴２４に対して水栓接続継手８のフランジ部３４のネジ穴３６を２個同時にネジ止めすることにより、水栓接続継手８に風呂水栓７を接続する際の水栓接続継手８の供回りを確実に防止することができるようになる。その結果、水栓接続継手８に対する風呂水栓７の締込み不足を解消し、取付けの手間を削減すると共に、水漏れを防止することができる。そして、ユニットバス２の内側で全ての作業を行うことが可能となり、また、既存のユニットバス２の側壁パネル４や天井パネル５などを傷付けることなく風呂水栓７の改修を行うことが可能となる。
【００２７】
（１−２）連結部材本体２１に導入用切欠部４２を設けた。これにより、水栓接続継手８を、連結部材本体２１の縁部４１の位置から導入用切欠部４２を通して継手挿通配置用スライド穴２２内へ導入することができるようになる。以って、水栓接続継手８を分解して連結部材本体２１の継手挿通配置用スライド穴２２へ面直方向に挿入するような面倒な作業を行うことなく連結部材本体２１に容易に挿通保持させて固定することができる。
【実施例２】
【００２８】
図５〜図７は、この実施例を示す図である。なお、上記した実施例と同様の構成については、同じ符号を付すことによって説明を省略する。但し、省略した部分については、上記した実施例の記載を持ってこの実施例の記載とする。
【００２９】
＜構成＞以下、構成について説明する。
（２−１）ユニットバス２を構成する側壁パネル４の室外側に配設されて、側壁パネル４の室内側に設置される風呂水栓７を接続するようにした継手本体３１を有する水栓接続継手８において、
上記継手本体３１が、背面側に直交する２つの取付座面５１，５２を有するものとされる。
【００３０】
この場合、取付座面５１，５２は、Ｌ字型をした筒状の継手本体３１における、上下方向に向けられる一端側（接続口部３２）の背面部分と、横方向へ向けられる他端側（接続口部３３）の下面部分に対して設けられる。各取付座面５１，５２には、それぞれ継手本体３１の両側に横に並ぶように少なくとも、一対のネジ穴３６が設けられる。
【００３１】
（２−２）上記した水栓接続継手８を、複数連結可能な連結部材本体２１を有する継手連結部材１１であって、
【００３２】
上記連結部材本体２１が、水栓接続継手８の直交する２つの取付座面５１，５２をそれぞれ当接可能な直交する２つの取付面５３，５４を有するＬ字断面のアングル材５５とされる。
このＬ字断面のアングル材５５が、各取付面５３，５４に、水栓接続継手８の取付座面５１，５２をアングル材５５に沿った任意の位置で固定可能な継手固定用長穴２４を有する。
【００３３】
ここで、継手固定用長穴２４は、各取付面５３，５４の同じ高さで横に位置する２個のネジ穴３６が同時に合致する位置（即ち、２箇所を同時にネジ止めてきる位置）に形成される。
【００３４】
＜作用効果＞この実施例によれば、以下のような作用効果を得ることができる。
（２−１）継手本体３１に、直交する２つの取付座面５１，５２を設けた。これにより、どちらの取付座面５１，５２を用いても連結部材本体２１への取付けができるようになるので、連結部材本体２１に対する継手本体３１の取付け作業性を向上することができる。また、両方の取付座面５１，５２を使って連結部材本体２１に継手本体３１を取付けることで、より強固な取付状態を得ることが可能となる。
【００３５】
（２−２）複数の水栓接続継手８を連結部材本体２１で連結することにより、複数の水栓接続継手８を１つにまとめて一度に取扱える（側壁パネル４の裏側と建物１の側壁１６などとの間の隙間１７への引込作業を行える）ようになり、その分、風呂水栓７の更新作業を容易且つ迅速に行うことが可能となる。
【００３６】
この際、連結部材本体２１をＬ字断面のアングル材５５とした。これにより、連結部材本体２１に高い剛性が得られるので、水栓接続継手８や風呂水栓７に対する十分な支持強度を得ることができる。また、Ｌ字断面のアングル材５５は、水栓接続継手８の直交する２つの取付座面５１，５２を取付可能な直交する２つの取付面５３，５４を有しているので、上記した水栓接続継手８をより確実且つ強固に固定することが可能となる。また、どちらかの取付座面５１，５２と取付面５３，５４のみを使用して固定することも可能となる。
【００３７】
そして、Ｌ字断面のアングル材５５の各取付面５３，５４に継手固定用長穴２４を設けた。これにより、様々な風呂水栓７に合わせて取付間隔を調整した状態で複数の水栓接続継手８をアングル材５５に予め固定することができるようになる。このアングル材５５と２つの取付座面５１，５２を有する水栓接続継手８との組み合わせで、各種の風呂水栓７に対応することができるようになり、水栓接続継手８や継手連結部材１１の汎用化を図ることが可能になる。
【００３８】
また、アングル材５５に対して２つの取付座面５１，５２を有する水栓接続継手８を当接した状態でネジ止めすることにより、水栓接続継手８に風呂水栓７を接続する際の水栓接続継手８の供回りを確実に防止することができるようになる。しかも、上記実施例と同様に、アングル材５５の各継手固定用長穴２４に対して水栓接続継手８のフランジ部３４のネジ穴３６を２個同時にネジ止めすることにより、供回り防止効果をより高めることが可能となる。その結果、水栓接続継手８に対する風呂水栓７の締込み不足を解消し、取付けの手間を削減すると共に、水漏れを防止することができる。そして、ユニットバス２の内側で全ての作業を行うことが可能となり、また、既存のユニットバス２の側壁パネル４や天井パネル５などを傷付けることなく風呂水栓７の改修を行うことが可能となる。
【００３９】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００４０】
２    ユニットバス
４    側壁パネル
７    風呂水栓
８    水栓接続継手
１１  継手連結部材
２１  連結部材本体
２２  継手挿通配置用スライド穴
２４  継手固定用長穴
３１  継手本体
４１  縁部
４２  導入用切欠部
５１  取付座面
５２  取付座面
５３  取付面
５４  取付面
５５  アングル材
【図１】
2016169518.tif 000003
【図２】
2016169518.tif 000004
【図３】
2016169518.tif 000005
【図４】
2016169518.tif 000006
【図５】
2016169518.tif 000007
【図６】
2016169518.tif 000008
【図７】
2016169518.tif 000009